(57)【特許請求の範囲】
【請求項１】
コンタクトガラス上に位置して開閉自在に設けられた屈曲可能な原稿押え板が所定の屈曲をしていないことを検知して出力する屈曲検知手段と、原稿押え板が所定の角度に達したことを検知して出力する開閉状態検知手段と、原稿を検知して出力する発光部と受光部とを有して前記コンタクトガラスの下方に配設された原稿検知手段と、制御手段とを具え、制御手段が、屈曲検知手段の出力と、開閉状態検知手段の出力と、原稿検知手段の出力とに基づいて、原稿サイズを判定することを特徴とする原稿サイズ検出装置。
【請求項２】
制御手段は、原稿検知手段の出力のなかから、屈曲検知手段の出力と開閉状態検知手段の所定の開放角度を検知した出力とに基づいてえられた原稿検知手段の出力を有効出力として、原稿サイズを判定することを特徴とする請求項１に記載の原稿サイズ検出装置。
【請求項３】
コンタクトガラスと、このコンタクトガラスの一端側に設けたヒンジ部に軸支されて開閉自在に設けられた原稿押え板と、この原稿押え板の所定の第１開放角度に応じて第１信号を出力し、前記第１開放角度よりも小さい第２開放角度に応じて第２信号を出力する開閉状態検知手段と、発光部と受光部とを有して前記コンタクトガラスの下方の所定位置に配設され該位置上方の原稿を検知して出力可能にした複数の原稿検知手段と、前記開閉状態検知手段の出力と前記原稿検知手段の出力とに基づいて、原稿サイズを判定する制御手段とを具え、
この制御手段は、前記第１信号が入力された場合に、前記複数の原稿検知手段のうち、前記ヒンジ部に最も近い原稿検知手段からの出力を入力し、
前記第２信号が入力された場合に、前記ヒンジ部に最も近い原稿検知手段以外の原稿検知手段からの出力を入力したことを特徴とする原稿サイズ検出装置。
【請求項４】
制御手段は、原稿検知手段の出力のなかから、開閉状態検知手段の所定の開放位置を検知した出力に基づいてえられた原稿検知手段の出力を有効出力として、原稿サイズを判定することを特徴とする請求項３に記載の原稿サイズ検出装置。
【発明の詳細な説明】
【０００１】
【発明の属する技術分野】
この発明は原稿サイズ検知装置に関する。
【０００２】
【従来の技術】
従来の原稿サイズ検知装置は、図13〜15に示すようであって、画像形成装置１の原稿押え板２が全開放状態に近い所定角度以下の位置にきたことを検知して出力する光学スイッチを有する開閉状態検知手段３′と、原稿を検知する発光素子４、受光素子５、及び発光素子４上に設けられたグレイティング素子６を有する反射型の原稿検知手段７′とを具え、原稿検知手段７′をコンタクトガラス８の下方に配設し、開閉状態検知手段３′の出力及び原稿検知手段７′の出力が入力される図示しない制御手段を設けたものである。このようなものにあって、コピースタートキーがオンされる前に、発光素子４で発光された光を、図示のようにグレイティング素子６を通過させて、３方向のビームに分散させ、このビームを原稿に照射してその反射光をそれぞれ受光素子５によって検出することによって原稿検知手段７′が原稿を検知して、これが制御手段に入力されていて、一方、原稿押え板２が全開放状態から閉じられて、前記所定角度以下の位置にくると、開閉状態検知手段３′が出力して、これが制御手段に入力され、制御手段は、これらの入力によって、原稿のサイズを判定するものである。このサイズ判定は、予め制御手段に設定されたそれぞれの原稿検知手段７′の出力の有無の組合せによる判定基準にしたがって行われる。また、原稿押え板２（またはＡＤＦ）が開放のままの状態においては、コピースタートキーがオンされる以前に、前記のように原稿検知手段７′が原稿を検知して、これが制御手段に入力されていて、コピースタートキーがオンされた直後のキーオン信号が制御手段に入力され、制御手段は、これらの入力によって、原稿のサイズを判定する。
【０００３】
【発明が解決しようとする課題】
前記従来のような原稿サイズ検知装置は、原稿を手で押えながら原稿押え板が閉じられた場合、制御手段が、原稿押え板の全開放状態に近い状態における開閉状態検知手段の出力に応じて、原稿検知手段の出力に基づいて原稿サイズの検知を行うので、原稿を押さえた手も原稿の一部として検知してしまい、原稿を誤検知して、原稿サイズの誤判定をするという問題がある。
【０００４】
そこでこの発明の目的は、前記従来のような原稿サイズ検知装置のもつ問題を解消し、原稿検知手段が原稿を誤検知することがなくて、原稿サイズの誤判定をすることがない原稿サイズ検知装置を提供するにある。
【０００５】
【課題を解決するための手段】
この発明は、前記のような目的を達成するために、請求項１に記載の発明は、コンタクトガラス上に位置して開閉自在に設けられた屈曲可能な原稿押え板が所定の屈曲をしていないことを検知して出力する屈曲検知手段と、原稿押え板が所定の角度に達したことを検知して出力する開閉状態検知手段と、原稿を検知して出力する発光部と受光部とを有して前記コンタクトガラスの下方に配設された原稿検知手段と、制御手段とを具え、制御手段が、屈曲検知手段の出力と、開閉状態検知手段の出力と、原稿検知手段の出力とに基づいて、原稿サイズを判定することを特徴とするものである。
【０００６】
請求項２に記載の発明は、請求項１に記載の発明において、制御手段は、原稿検知手段の出力のなかから、屈曲検知手段の出力と開閉状態検知手段の所定の開放角度を検知した出力とに基づいてえられた原稿検知手段の出力を有効出力として、原稿サイズを判定することを特徴とするものである。
【０００７】
請求項３に記載の発明は、コンタクトガラスと、このコンタクトガラスの一端側に設けたヒンジ部に軸支されて開閉自在に設けられた原稿押え板と、この原稿押え板の所定の第１開放角度に応じて第１信号を出力し、前記第１開放角度よりも小さい第２開放角度に応じて第２信号を出力する開閉状態検知手段と、発光部と受光部とを有して前記コンタクトガラスの下方の所定位置に配設され該位置上方の原稿を検知して出力可能にした複数の原稿検知手段と、前記開閉状態検知手段の出力と前記原稿検知手段の出力とに基づいて、原稿サイズを判定する制御手段とを具え、この制御手段は、前記第１信号が入力された場合に、前記複数の原稿検知手段のうち、前記ヒンジ部に最も近い原稿検知手段からの出力を入力し、前記第２信号が入力された場合に、前記ヒンジ部に最も近い原稿検知手段以外の原稿検知手段からの出力を入力したことを特徴とするものである。
【０００８】
請求項４に記載の発明は、請求項３に記載の発明において、制御手段は、原稿検知手段の出力のなかから、開閉状態検知手段の所定の開放位置を検知した出力に基づいてえられた原稿検知手段の出力を有効出力として、原稿サイズを判定することを特徴とするものである。
【０００９】
【発明の実施の形態】
図面に示すこの発明の実施形態において、前記従来と同様の部分については、同一の符号を引用して説明を省略し、主として異なる部分について説明する。この発明の第１実施形態は、図１〜８に示すようであって、原稿押え板２は押え板部材２ａと２ｂとを有し、この押え板部材２ａと２ｂとがヒンジ２ｃで屈曲可能に連結されていて、コンタクトガラス８上に位置して、原稿押え板２はその一端に設けられたヒンジ２ｅによって後側のブラケット18に開閉自在に取付けられている。また、原稿押え板２は、押え板部材２ｂと連動するノブ２ｄと、ヒンジ２ｃの非屈曲状態、すなわち押え板部材２ａと２ｂとが形成する屈曲が、所定範囲の屈曲をしていないこと（非屈曲状態という）を検知する屈曲検知手段９とを有しており、この屈曲検知手段９は原稿押え板２が非屈曲状態にあるとき、それを検知して出力するようになっている。また、10は原稿であって、通常そのサイズはＡ５〜Ａ３である。
【００１０】
また、３はフォトインターラプタ型のセンサからなる開閉状態検知手段であり、ノブ２ｄに原稿押え板２が所定の開放角度θ1に開放された際、それを検知す るスイッチポジション３ａが設けられており、このスイッチポジション３ａの位置で、開閉状態検知手段３が検知信号を出力し、この出力と、屈曲検知手段９の出力とがＣＰＵを有する制御手段11に入力される。
【００１１】
また、原稿10を検知する発光素子４と受光素子５とを有する第１〜４原稿検知手段12，13，14，15がそれぞれコンタクトガラス８の下方にあって、スキャナ部の底板16の原稿サイズに対応する位置に配設されていて、発光素子４で発光された光を原稿に照射して、その反射光を受光素子５によって検出することによって第１〜４原稿検知手段12，13，14，15が原稿10を検知して、これが制御手段11に入力される。なお、17はオペレータ側のカバーである。また、図８において、20は記憶手段（ＲＡＭ）、21はプログラムを格納したＲＯＭ、22は制御手段11に関連するその他の部材（電源等）を表している。
【００１２】
前記開放角度θ1は、原稿10をコンタクトガラス８上にセットした後、原稿押 え板２を倒す過程で、第１〜４原稿検知手段12，13，14，15が原稿押え板２を原稿10と誤認識しない限界の原稿押え板２とコンタクトガラス８とがなす角度であって、この開放角度θ1、すなわちスイッチポジション３ａにおいて、開閉状態 検知手段３が出力する。
【００１３】
前記のような開放角度θ1と、ヒンジ２ｃによって、押え板部材２ａと２ｂと がなす屈曲角度θ2（約170°〜180°）とを予め設定する。
【００１４】
また、原稿押え板２が開放されていて、押え板部材２ａと２ｂとがなす角度が図３に示すθ2より小さくなるような状態のときは、屈曲検知手段９の出力はオ フとなるように制御手段11に設定しておき、また、原稿押え板２とコンタクトガラス８とがなす角度が開放角度θ1より大きくなるような状態のときは、開閉状 態検知手段３の出力もオフとなるように制御手段11に設定しておく。
【００１５】
そして、原稿押え板２が閉じられて、押え板部材２ａと２ｂとがなす角度が屈曲角度θ2より大きくなったとき、屈曲検知手段９から出力させ、また、原稿押 え板２がコンタクトガラス８に接近して、原稿押え板２とコンタクトガラス８とがなす角度が開放角度θ1より小さくなった際、開閉状態検知手段３から出力さ せ、これらの出力と、第１〜４原稿検知手段12，13，14，15の出力とが入力された制御手段11が表１の判定基準にしたがって、原稿10のサイズの判定を行う。
【００１６】
【表１】
0003644783.tif 000002
【００１７】
このようなものにおける動作について説明する。オペレータが原稿10をセットし、原稿押え板２を矢印方向に閉じ始めてから原稿押え板２がコンタクトガラス８上にセットされるまでの推移を図３→図７で示す。
【００１８】
原稿押え板２が閉じられ始めると、押え板部材２ａと２ｂとは、図３の状態から図５の状態に推移してゆくが、図４の状態で屈曲検知手段９の出力は一時出力（オン）した後、図５の状態で、押え板部材２ａと２ｂとがなす角度がθ2より 小さくなって、その出力をオフするとともに、開閉状態検知手段３はその角度が開放角度θ1より小さくなって出力する。屈曲検知手段９の出力と開閉状態検知 手段３の出力とが制御手段11に入力され、一方、第４原稿検知手段15の出力が制御手段11に入力されていて、制御手段11は、このときの第４原稿検知手段15の出力を有効出力として記憶手段（ＲＡＭ）20に記憶させる。
【００１９】
さらに閉じが推移して図５の状態から図６の状態となると、開閉状態検知手段３が出力しているうえに、押え板部材２ａと２ｂとがなす角度が図３に示すθ2 の状態より大きくなって、屈曲検知手段９が出力する。屈曲検知手段９の出力と開閉状態検知手段３の出力とが制御手段11に入力され、一方、第１〜３原稿検知手段12，13，14の出力が制御手段11に入力されていて、制御手段11は、このときの第１〜３原稿検知手段12，13，14の出力を有効出力として記憶手段20に記憶させる。そして、記憶手段20に記憶された第１〜４原稿検知手段12，13，14，15の出力が入力された制御手段11が表１の判定基準にしたがって原稿10のサイズを判定する。
【００２０】
上記のタイミングチャートは図９に示すようであって、原稿押え板２が閉じを開始したとき、押え板部材２ａと２ｂとは図４に示す状態となり、押え板部材２ａと２ｂとがなす角度がθ2より大きくなって、屈曲検知手段９が出力する。し かしながら、開閉状態検知手段３の角度は開放角度θ1より大きいので、出力し ていない。
【００２１】
図９において、図４に示す状態の原稿押え板２とコンタクトガラス８とがなす角度が開放角度θ1より大きい角度、及び押え板部材２ａと２ｂとがなす角度が 屈曲角度θ2より大きい角度に対応するものは範囲ｔ0〜ｔ1であり、また、図５ に示す状態の原稿押え板２とコンタクトガラス８とがなす角度が開放角度θ1よ り小さい角度、及び押え板部材２ａと２ｂとがなす角度が屈曲角度θ2より小さ い角度に対応するものは範囲ｔ1〜ｔ4であり、図６に示す状態の原稿押え板２とコンタクトガラス８とがなす角度が開放角度θ1より小さい角度、及び押え板部 材２ａと２ｂとがなす角度が屈曲角度θ2より大きい角度に対応するものはｔ4以降である。
【００２２】
そして、開閉状態検知手段３が出力したｔ2時点の原稿検知手段15の出力を記 憶手段20に記憶させ、また、屈曲検知手段９と開閉状態検知手段３とが出力したｔ4時点の第１〜３原稿検知手段12，13，14の出力を記憶手段20に記憶させる。
【００２３】
このようなものは、原稿押え板２が、手で押えなくても原稿10がずれないような屈曲検知手段９と開閉状態検知手段３とが出力する角度まで閉じられた状態においては、原稿10に添えられた手がコンタクトガラス８上から引き抜かれている状態であって、この状態において、第１〜４原稿検知手段12，13，14，15が原稿10を検知するので、第１〜４原稿検知手段12，13，14，15が原稿を誤検知することがなくて、原稿サイズの誤判定を防止することができる。
【００２４】
第２実施形態は、図10に示すようであって、第１実施形態において、原稿押え板２が屈曲可能なものに代えて屈曲しないものを用い、開閉状態検知手段３に、開放角度θ1より小さいことを検知するスイッチポジション３ａと、開放角度θ1より小さい角度であって、かつ、スイッチポジション３ａにおいて第４原稿検知手段15が出力した後に、第１〜３原稿検知手段12，13，14が出力するような角度の範囲に設定されたスイッチポジション３ｂとを設けたものである。
【００２５】
ここで、原稿押え板２とコンタクトガラス８とがなす角度を原稿検知手段12，13，14，15が原稿押え板２を原稿10と誤認識することがないような角度でスイッチポジション３ａ及び３ｂを設定する必要があり、原稿押え板２が開放される角度が大きなときは、前記のような誤認識はないが、原稿10をセットする際に手を添えている場合が多くて、手を原稿10と誤認識してしまう恐れがあり、そのようなことが起らないように、開閉状態検知手段３のスイッチポジション３ａが、原稿押え板２とコンタクトガラス８とがなす角度が第１開放角度θ11（約25°）より小さくなった際に開閉状態検知手段３が出力するように（図11における３ａ及びｔ2）、また、スイッチポジション３ｂは、原稿押え板２とコンタクトガラス ８とがなす角度が第２開放角度θ12（約15°）より小さくなった際に開閉状態検知手段３が出力するように（図11における３ｂ及びｔ3）設定する。
【００２６】
そして、原稿押え板２とコンタクトガラス８とがなす角度が、スイッチポジション３ａの第１開放角度θ11より小さくなった時点の開閉状態検知手段３は第１出力を出力し、これが制御手段１１に入力され、一方、第４原稿検知手段１５の出力が制御手段１１に入力されていて、制御手段１１は、このときの第４原稿検知手段１５の出力を有効出力として記憶手段２０に記憶させる。
【００２７】
そして、原稿押え板２がさらに閉じられて、原稿押え板２とコンタクトガラス８とがなす角度が、スイッチポジション３ｂの第２開放角度θ12より小さくなったときは、原稿１０に添えられている手は引き抜かれている状態となっており、原稿押え板２とコンタクトガラス８とがなす角度が第２開放角度θ12より小さくなった時点で、開閉状態検知手段３は第２出力を出力し、これが制御手段１１に入力され、一方、第１〜３原稿検知手段１２，１３，１４の出力が制御手段１１に入力されていて、制御手段１１は、このときの第１〜３原稿検知手段１２，１３，１４の出力を有効出力として記憶手段２０に記憶させる。
【００２８】
そして、これらの記憶手段20に記憶された第１〜４原稿検知手段12，13，14，15の出力が入力された制御手段11が表１の判定基準にしたがって原稿10のサイズを判定する。
【００２９】
また、原稿押え板２とコンタクトガラス８とがなす角度が、原稿10と原稿押え板２との間隔が、原稿押え板２による反射光によって第１〜４原稿検知手段12，13，14，15が原稿押え板２を原稿10と誤検出することがない間隔となるように設定される角度は、第１〜４原稿検知手段12，13，14，15の順で小となるものである。
【００３０】
そこで、タイムチャート図12に示すように、第１〜４原稿検知手段12，13，14，15のそれぞれに対応して、原稿押え板２の開放角度を順次小さくして、原稿押え板２を原稿10と誤検知しないようなスイッチポジション３ａ，３ｂ，３ｃ，３ｄを開閉状態検知手段３に設定し、原稿押え板２とコンタクトガラス８との角度が、各スイッチポジション３ａ，３ｂ，３ｃ，３ｄより小さくなった時点における開閉状態検知手段３の出力と、開閉状態検知手段３が出力した時点の第１〜４原稿検知手段12，13，14，15の出力を有効出力として記憶手段20に記憶させ、記憶された前記出力が入力された制御手段11が表１の判定基準にしたがって原稿サイズを判定するような構成としてもよい。
【００３１】
このようなものは、原稿押え板２が、手で押えなくても原稿10がずれないような所定の角度まで閉じられ、原稿10に添えられた手がコンタクトガラス８上から引き抜かれている状態において、第１〜４原稿検知手段12，13，14，15が原稿10を検知するので、第１〜４原稿検知手段12，13，14，15が原稿を誤検知することがなくて、原稿サイズの誤判定を防止することができる。
【００３２】
この第２実施形態を、第１実施形態の屈曲検知手段９を除去して、第１実施形態に適用してもよい。
【００３３】
【発明の効果】
この発明は、前記のようであって、請求項１に記載の発明は、コンタクトガラス上に位置して開閉自在に設けられた屈曲可能な原稿押え板が所定の屈曲をしていないことを検知して出力する屈曲検知手段と、原稿押え板が所定の角度に達したことを検知して出力する開閉状態検知手段と、原稿を検知して出力する発光部と受光部とを有して前記コンタクトガラスの下方に配設された原稿検知手段と、制御手段とを具え、制御手段が、屈曲検知手段の前記出力と、開閉状態検知手段の出力と、原稿検知手段の出力とに基づいて、原稿サイズを判定するものであり、請求項２に記載の発明は、制御手段は、原稿検知手段の出力のなかから、屈曲検知手段の出力と開閉状態検知手段の所定の開放角度を検知した出力とに基づいてえられた原稿検知手段の出力を有効出力として、原稿サイズを判定するので、原稿押え板が、手で押えなくても原稿がずれないような所定の角度まで閉じられたら、原稿を検知することができて、原稿検知手段が原稿を誤検知することがなくて、原稿サイズの判定を的確に行うことができるという効果がある。
【００３４】
請求項３に記載の発明は、コンタクトガラスと、このコンタクトガラスの一端側に設けたヒンジ部に軸支されて開閉自在に設けられた原稿押え板と、この原稿押え板の所定の第１開放角度に応じて第１信号を出力し、第１開放角度よりも小さい第２開放角度に応じて第２信号を出力する開閉状態検知手段と、発光部と受光部とを有してコンタクトガラスの下方の所定位置に配設され該位置上方の原稿を検知して出力可能にした複数の原稿検知手段と、開閉状態検知手段の出力と原稿検知手段の出力とに基づいて、原稿サイズを判定する制御手段とを具え、この制御手段は、第１信号が入力された場合に、複数の原稿検知手段のうち、ヒンジ部に最も近い原稿検知手段からの出力を入力し、第２信号が入力された場合に、ヒンジ部に最も近い原稿検知手段以外の原稿検知手段からの出力を入力したものであり、請求項４に記載の発明は、制御手段は、原稿検知手段の出力のなかから、開閉状態検知手段の所定の開放位置を検知した出力に基づいてえられた原稿検知手段の出力を有効出力として、原稿サイズを判定するので、原稿押え板が、手で押えなくても原稿がずれないような所定の角度まで閉じられたら、原稿を検知することができ、各原稿検知手段が手を原稿として誤検知することがなくなり、原稿サイズの判定を的確に行うことができるという効果がある。
【図面の簡単な説明】
【図１】この発明の第１実施形態の概略縦断面図である。
【図２】同上の第１実施形態の原稿検知手段の配置を示す平面図である。
【図３】同上の第１実施形態の原稿押え板の閉じの状態を示す説明図である。
【図４】同上の第１実施形態の原稿押え板の閉じの状態を示す説明図である。
【図５】同上の第１実施形態の原稿押え板の閉じの状態を示す説明図である。
【図６】同上の第１実施形態の原稿押え板の閉じの状態を示す説明図である。
【図７】同上の第１実施形態の原稿押え板の閉じの状態を示す説明図である。
【図８】同上の第１実施形態の概略回路構成ブロック図である。
【図９】同上の第１実施形態のタイムチャート図である。
【図１０】同上の第２実施形態の概略縦断面図である。
【図１１】同上の第２実施形態のタイムチャート図である。
【図１２】同上の第２実施形態の他のタイムチャート図である。
【図１３】従来の原稿サイズ検出装置の概略斜視図である。
【図１４】同上の開閉状態検知手段の部分の概略斜視図である。
【図１５】同上の開閉状態検知手段を示す概略斜視図である。
【符号の説明】
２  原稿押え板
３  開閉状態検知手段
８  コンタクトガラス
９  屈曲検知手段
11  制御手段
12〜15  第１〜４原稿検知手段
【図１】
0003644783.tif 000003
【図２】
0003644783.tif 000004
【図３】
0003644783.tif 000005
【図４】
0003644783.tif 000006
【図５】
0003644783.tif 000007
【図６】
0003644783.tif 000008
【図７】
0003644783.tif 000009
【図８】
0003644783.tif 000010
【図９】
0003644783.tif 000011
【図１０】
0003644783.tif 000012
【図１１】
0003644783.tif 000013
【図１２】
0003644783.tif 000014
【図１３】
0003644783.tif 000015
【図１４】
0003644783.tif 000016
【図１５】
0003644783.tif 000017